【手続補正書】
【提出日】平成24年10月15日(2012.10.15)
【手続補正１】
【補正対象書類名】特許請求の範囲
【補正対象項目名】全文
【補正方法】変更
【補正の内容】
【特許請求の範囲】
【請求項１】
記録媒体と記録手段との複数回の相対移動によって記録媒体の所定領域に記録材を付与して記録を行うことで画像を形成するために、当該所定領域に形成する画像に対応する画像データを処理するための画像処理装置であって、
前記画像データが示す画像の特徴に関する情報を取得する取得手段と、
前記画像データに基づいて、前記複数回の相対移動のそれぞれで前記所定領域に付与される同色の記録材の量に対応する階調値を有する複数の濃度データを、生成するための生成手段と、
前記複数の濃度データそれぞれの階調値の段階数を低減させる低減手段と、
を備え、
前記生成手段は、前記取得手段によって取得された情報が示す前記特徴に応じて、前記複数回の相対移動のうちの少なくとも１回の移動に対応する第１の濃度データの階調値と前記複数回の相対移動のうちの他の少なくとも１回の移動に対応する第２の濃度データの階調値とを決定することを特徴とする画像処理装置。
【請求項２】
前記特徴が風景画像の場合の前記第１の濃度データの階調値と前記第２の濃度データの階調値との比よりも、前記特徴がポートレート画像の場合の前記比の方が、偏りが小さいことを特徴とする請求項１に記載の画像処理装置。
【請求項３】
前記特徴が背景の場合の前記第１の濃度データの階調値と前記第２の濃度データの階調値の比よりも、前記特徴が顔の場合の前記比の方が、偏りが小さいことを特徴とする請求項１に記載の画像処理装置。
【請求項４】
前記画像データは、ＲＧＢデータであることを特徴とする請求項１乃至３のいずれか１項に記載の画像処理装置。
【請求項５】
前記低減手段は誤差拡散処理により前記階調値の段階数を低減させることを特徴とする請求項１乃至４に記載の画像処理装置。
【請求項６】
前記記録手段は、前記所定領域に前記記録材としてのインクを吐出することによって記録を実行するインクジェット方式の記録ヘッドであることを特徴とする請求項１乃至５のいずれか１項に記載の画像処理装置。
【請求項７】
同じ色のインクを吐出するための複数の記録素子によりそれぞれ形成される第１および第２の記録素子群と記録媒体との相対移動によって前記記録媒体の所定領域に記録を行って画像を形成するために、当該所定領域に形成する画像に対応する画像データを処理するための画像処理装置であって、
前記画像データが示す画像の特徴に関する情報を取得する取得手段と、
前記画像データに基づいて、前記所定領域に記録を行うための階調値を有し、前記第１および第２の記録素子群にそれぞれ対応する第１および第２の濃度データを生成するための生成手段と、
前記第１および第２の濃度データそれぞれの階調値の段階数を低減させる低減手段と、を備え、
前記生成手段は、記画像データが示す前記特徴に応じて、前記第１の濃度データの階調値と前記第２の濃度データの階調値とを決定することを特徴とする画像処理装置。 
【請求項８】
前記特徴が風景画像の場合の前記第１の濃度データの階調値と前記第２の濃度データの階調値との比よりも、前記特徴がポートレート画像の場合の前記比の方が、偏りが小さいことを特徴とする請求項７に記載の画像処理装置。
【請求項９】
前記特徴が顔の場合の前記第１の濃度データの階調値と前記第２の濃度データの階調値の比よりも、前記特徴が背景の場合の前記比の方が、偏りが小さいことを特徴とする請求項７に記載の画像処理装置。
【請求項１０】
前記画像データは、ＲＧＢデータであることを特徴とする請求項７乃至９のいずれか１項に記載の画像処理装置。
【請求項１１】
前記低減手段は誤差拡散処理により前記階調値の段階数を低減させることを特徴とする請求項７乃至１０に記載の画像処理装置。
【請求項１２】
前記記録手段は、前記所定領域に前記記録材としてのインクを吐出することによって記録を実行するインクジェット方式の記録ヘッドであることを特徴とする請求項７乃至１１のいずれか１項に記載の画像処理装置。
【請求項１３】
同じ色のインクを吐出するための複数の記録素子によりそれぞれ形成される第１および第２の記録素子群と記録媒体との相対移動によって前記記録媒体の所定領域に記録を行って画像を形成するために、当該所定領域に形成する画像に対応する画像データを処理するための画像処理装置であって、
前記画像データが示す画像の特徴に関する情報を取得する取得手段と、
前記画像データに基づいて、前記所定領域に記録を行うための階調値を有し、前記第１および第２の記録素子群にそれぞれ対応する第１および第２の濃度データを生成するための生成手段と、
前記第１および第２の濃度データそれぞれの階調値の段階数を、誤差拡散処理により低減させる低減手段と、
を備え
前記低減手段は、前記第１の濃度データの誤差拡散処理に用いる閾値を前記第２の濃度像データおよび前記取得手段によって取得された情報が示す前記特徴に基づいて決定し、決定された閾値に基づいて前記第１の濃度画像データに誤差拡散処理を行うことを特徴とする画像処理装置。
【請求項１４】
前記低減手段は、前記特徴が風景画像であって、かつ前記第２の濃度データの所定の階調値である場合の前記閾値が、前記特徴がポートレート画像であって前記第２の濃度データの所定の階調値である場合の前記閾値より小さくなるように決定する請求項１３に記載の画像処理装置。
【請求項１５】
前記低減手段は、前記特徴が背景であって、かつ前記第２の濃度データの所定の階調値である場合の前記閾値が、前記特徴が顔であって前記第２の濃度データの所定の階調値である場合の前記閾値より小さくなるように決定する請求項１３に記載の画像処理装置。
【請求項１６】
前記記録手段は、前記所定領域に前記記録材としてのインクを吐出することによって記録を実行するインクジェット方式の記録ヘッドであることを特徴とする請求項１３乃至１５のいずれか１項に記載の画像処理装置。
【手続補正２】
【補正対象書類名】明細書
【補正対象項目名】発明の名称
【補正方法】変更
【補正の内容】
【発明の名称】画像処理装置
【手続補正３】
【補正対象書類名】明細書
【補正対象項目名】０００１
【補正方法】変更
【補正の内容】
【０００１】
本発明は、記録媒体の同一領域に対する記録手段の複数回の相対移動或は複数の記録素子群の相対移動によって同一領域に画像を記録するために、同一領域に対応する多値画像データを処理する画像処理装置に関する。
【手続補正４】
【補正対象書類名】明細書
【補正対象項目名】０００９
【補正方法】変更
【補正の内容】
【０００９】
上記課題を解決するための本発明は、記録媒体と記録手段との複数回の相対移動によって記録媒体の所定領域に記録材を付与して記録を行うことで画像を形成するために、当該所定領域に形成する画像に対応する画像データを処理するための画像処理装置であって、前記画像データが示す画像の特徴に関する情報を取得する取得手段と、前記画像データに基づいて、前記複数回の相対移動のそれぞれで前記所定領域に付与される同色の記録材の量に対応する階調値を有する複数の濃度データを、生成するための生成手段と、前記複数の濃度データそれぞれの階調値の段階数を低減させる低減手段と、を備え、前記生成手段は、前記取得手段によって取得された情報が示す前記特徴に応じて、前記複数回の相対移動のうちの少なくとも１回の移動に対応する第１の濃度データの階調値と前記複数回の相対移動のうちの他の少なくとも１回の移動に対応する第２の濃度データの階調値とを決定することを特徴とする。